(57)【特許請求の範囲】
【請求項１】
広告主の商用ページを掲載する１以上の商用サイト装置と、コンテンツを掲載する１以上のコンテンツ掲載サイト装置と、広告管理及び支払い管理を行う管理サイト装置とがネットワーク上に配置されたネットワーク広告管理システムにおいて、
前記コンテンツ掲載サイト装置又は前記コンテンツ掲載サイト装置にコンテンツをアップロードするための編集装置に、編集エディターがインストールされ、
前記コンテンツ掲載サイト装置又は前記編集装置は、前記編集エディターに基づき、
前記コンテンツ掲載サイト装置に掲載され又は掲載すべきコンテンツを読み込んで、該読み込んだコンテンツを編集できる機能と、
前記読み込んだコンテンツ内において一部の範囲の表示情報を指定することを条件に、その指定した表示情報に対応する広告商品データを前記管理サイト装置に要求する機能と、
前記広告商品データを前記管理サイト装置から受け取ることに基づきその広告商品一覧を表示させる機能と、
前記広告商品一覧における商品を選択することを条件に、その選択した商品を広告する商用サイト装置に移動するためのリンクアドレス、前記コンテンツ掲載サイト装置の識別情報を前記管理サイト装置に要求する機能と、
前記リンクアドレス、前記コンテンツ掲載サイト装置の識別情報を前記管理サイト装置から受け取ることに基づき、該リンクアドレス、該コンテンツ掲載サイト装置の識別情報を前記読み込んだコンテンツ内に組み込み、前記指定した表示情報を移動元として、前記選択した商品を広告する商用サイト装置に移動できるようにする機能と、
が実現されるように設定され、
前記管理サイト装置は、前記コンテンツ掲載サイト装置又は編集装置により前記指定した表示情報に対応する広告商品データが要求されたときには、その指定した表示情報に対応する広告商品データをデータベースから引き出して、その広告商品データを前記コンテンツ掲載サイト装置又は編集装置に送り出すように設定され、前記コンテンツ掲載サイト装置又は編集装置により、前記選択した商品を広告する商用サイト装置に移動するためのリンクアドレス、前記コンテンツ掲載サイト装置の識別情報が要求されたときには、そのリンクアドレス、コンテンツ掲載サイト装置の識別情報を生成して、それら情報を前記コンテンツ掲載サイト装置又は編集装置に送り出すように設定されている、
ことを特徴とするネットワーク広告管理システム。
【請求項２】
広告主の商用ページを掲載する１以上の商用サイト装置と、コンテンツを掲載する１以上のコンテンツ掲載サイト装置と共に、ネットワーク上に配置されて広告管理と支払い管理とを行うネットワーク広告管理システムの管理サイト装置において、
広告商品データを格納するデータベースが備えられ、
前記コンテンツ掲載サイト装置又は前記コンテンツ掲載サイト装置にコンテンツをアップロードするための編集装置により、該コンテンツ掲載サイト装置又は編集装置にインストールされている編集エディターに基づき、読み込んだコンテンツ内において一部の範囲の表示情報を指定することを条件に、その指定した表示情報に対応する広告商品データが要求されたときには、その指定した表示情報に対応する広告商品データをデータベースから引き出すと共に、その広告商品データを前記コンテンツ掲載サイト装置又は編集装置に送り出すように設定され、
前記コンテンツ掲載サイト装置又は前記編集装置により、前記広告商品データにおける商品を選択することを条件に、その選択した商品を広告する商用サイト装置に移動するためのリンクアドレス、コンテンツ掲載サイト装置の識別情報が要求されたときには、そのリンクアドレス、コンテンツ掲載サイト装置の識別情報を生成して、それら情報を前記コンテンツ掲載サイト装置又は編集装置に送り出すように設定されている、
ことを特徴とするネットワーク広告管理システムの管理サイト装置。
【請求項３】
コンテンツ掲載サイト装置に掲載され又は掲載すべきコンテンツを読み込んで、エディターとして、該読み込んだコンテンツを編集できる機能と、
前記読み込んだコンテンツ内において一部の範囲の表示情報を指定することを条件に、その指定した表示情報に対応する広告商品データをネットワークを介して管理サイト装置に要求する機能と、
前記広告商品データを前記管理サイト装置から受け取ることに基づきその広告商品一覧を表示させる機能と、
前記広告商品一覧における商品を選択することを条件に、その選択した商品を広告する商用サイト装置に移動するためのリンクアドレス、コンテンツ掲載サイト装置の識別情報をネットワークを介して前記管理サイト装置に要求する機能と、
前記リンクアドレス、前記コンテンツ掲載サイト装置の識別情報を前記管理サイト装置からネットワークを介して受け取ることに基づき、該リンクアドレス、該コンテンツ掲載サイト装置の識別情報を前記読み込んだコンテンツ内に組み込み、前記指定した表示情報を移動元として、前記選択した商品を広告する商用サイト装置に移動できるようにする機能と、
をコンピュータに実現させる編集エディターを格納している、
ことを特徴とする記録媒体。
【請求項４】
請求項３において、
前記編集エディターが、前記広告商品一覧における各商品毎の選択を前記管理サイト装置に伝達するための独立した選択部を表示する機能をコンピュータに実現させるように設定されている、
ことを特徴とする記録媒体。
【請求項５】
請求項３において、
前記編集エディターが、前記広告商品一覧における商品毎の詳細情報を前記管理サイト装置に要求するための詳細情報引き出し部を表示する機能と、前記詳細情報引き出し部を選択することに基づき、前記管理サイト装置から前記詳細情報を受け取って該詳細情報を表示させる機能と、をコンピュータに実現させるように設定されている、
ことを特徴とする記録媒体。
【発明の詳細な説明】
【０００１】
【発明の属する技術分野】
本発明は、オンラインショッピング等の電子商取引において用いられるネットワーク広告管理システム、そのネットワーク広告管理システムにおいて用いられるネットワーク広告管理システムの管理サイト装置及び記録媒体に関するものである。
【０００２】
【従来の技術】
インターネット上でオンラインショッピング等の電子商取引を行う商用サイトへのアクセスを増大する手法として、インターネット上の種々のサイトのＷＷＷページにバナー広告を掲載し、そのサイトにアクセスした顧客がそのＷＷＷページのバナー広告をクリックすることで商用サイトに接続されるようにする手法が近年増大している。かかるバナー広告をＷＷＷページ上に掲載するサイトは通常、アフィリエイトサイトと呼ばれており、多大なアクセス数がある巨大サイトから小さな個人サイトまでがこのアフィリエイトサイトとなっており、著名な商用サイトはかかるアフィリエイトサイトを非常に多数（例えば数万を超える数）持つようになっていると言われる。
【０００３】
このため、かかる無数のアフィリエイトサイトを商用サイト自身が単独で管理することの煩雑さが指摘されており、現在ではかかるアフィリエイトサイトの開拓、掲載広告の配信・管理や広告費用の支払いなどの管理を商用サイトに代わって行うアフィリエイト代行サービス会社が登場しており、この種の煩雑さを解決している。
【０００４】
ところで、最近、広告費用の実際の効果に対するコストパフォーマンスに疑問がでてきており、各広告主はより低コストの広告配信システムに興味を持ち始めている。その一つが、成功報酬型の広告配信システムであり、これは、通常、アフィリエイトプログラムと呼ばれている。このアフィリエイトプログラムは、顧客（ユーザ）が、主にグラフィックのバナー広告を見て実際に商品を買った場合にだけ、その販売実績に応じた広告費用を支払うというシステムであり、広告費用の実際の効果に対するコストパフォーマンスについて、一定の効果をあげている。
【０００５】
しかし、バナー広告自体の効果は年々低下する傾向にあり、最近では、アフィリエイトサイトのコンテンツ内の特定内容に、商用サイトにおける特定の商品の広告を該広告にアクセスできるように含ませて、あたかもコンテンツ内の内容（例えば文書）の一部かのように思わせて、読者（顧客）の関心を高める手法がクローズアップされている。
【０００６】
【発明が解決しようとする課題】
しかしながら、アフィリエイトサイトのコンテンツ内の特定内容に商用サイトにおける特定の商品の広告を該広告にアクセスできるように含ませる作業（埋め込み作業）は、コンテンツ制作者にかなりの負担となる作業であり、あたかもコンテンツ内の内容の一部かのように思わせて読者（顧客）の関心を高める手法は、効果が認められつつも、普及できない状況にある。
【０００７】
本発明はかかる問題点に鑑みてなされたものであり、その技術的課題は、広告に関し、あたかもコンテンツ内の内容の一部かのように思わせて読者（顧客）の関心を高める手法が簡単に採ることができるネットワーク広告管理システム、ネットワーク広告管理システムの管理サイト装置及び記録媒体を提供することにある。
【０００８】
【課題を解決するための手段】
上述の技術的課題を解決するために本発明（請求項１）においては、
広告主の商用ページを掲載する１以上の商用サイト装置と、コンテンツを掲載する１以上のコンテンツ掲載サイト装置と、広告管理及び支払い管理を行う管理サイト装置とがネットワーク上に配置されたネットワーク広告管理システムにおいて、
前記コンテンツ掲載サイト装置又は前記コンテンツ掲載サイト装置にコンテンツをアップロードするための編集装置に、編集エディターがインストールされ、
前記コンテンツ掲載サイト装置又は前記編集装置は、前記編集エディターに基づき、
前記コンテンツ掲載サイト装置に掲載され又は掲載すべきコンテンツを読み込んで、該読み込んだコンテンツを編集できる機能と、
前記読み込んだコンテンツ内において一部の範囲の表示情報を指定することを条件に、その指定した表示情報に対応する広告商品データを前記管理サイト装置に要求する機能と、
前記広告商品データを前記管理サイト装置から受け取ることに基づきその広告商品一覧を表示させる機能と、
前記広告商品一覧における商品を選択することを条件に、その選択した商品を広告する商用サイト装置に移動するためのリンクアドレス、前記コンテンツ掲載サイト装置の識別情報を前記管理サイト装置に要求する機能と、
前記リンクアドレス、前記コンテンツ掲載サイト装置の識別情報を前記管理サイト装置から受け取ることに基づき、該リンクアドレス、該コンテンツ掲載サイト装置の識別情報を前記読み込んだコンテンツ内に組み込み、前記指定した表示情報を移動元として、前記選択した商品を広告する商用サイト装置に移動できるようにする機能と、
が実現されるように設定され、
前記管理サイト装置は、前記コンテンツ掲載サイト装置又は編集装置により前記指定した表示情報に対応する広告商品データが要求されたときには、その指定した表示情報に対応する広告商品データをデータベースから引き出して、その広告商品データを前記コンテンツ掲載サイト装置又は編集装置に送り出すように設定され、前記コンテンツ掲載サイト装置又は編集装置により、前記選択した商品を広告する商用サイト装置に移動するためのリンクアドレス、前記コンテンツ掲載サイト装置の識別情報が要求されたときには、そのリンクアドレス、コンテンツ掲載サイト装置の識別情報を生成して、それら情報を前記コンテンツ掲載サイト装置又は編集装置に送り出すように設定されている、
ことを特徴とするネットワーク広告管理システムとした構成としてある。
【０００９】
上述の技術的課題を解決するために本発明（請求項２）においては、
広告主の商用ページを掲載する１以上の商用サイト装置と、コンテンツを掲載する１以上のコンテンツ掲載サイト装置と共に、ネットワーク上に配置されて広告管理と支払い管理とを行うネットワーク広告管理システムの管理サイト装置において、
広告商品データを格納するデータベースが備えられ、
前記コンテンツ掲載サイト装置又は前記コンテンツ掲載サイト装置にコンテンツをアップロードするための編集装置により、該コンテンツ掲載サイト装置又は編集装置にインストールされている編集エディターに基づき、読み込んだコンテンツ内において一部の範囲の表示情報を指定することを条件に、その指定した表示情報に対応する広告商品データが要求されたときには、その指定した表示情報に対応する広告商品データをデータベースから引き出すと共に、その広告商品データを前記コンテンツ掲載サイト装置又は編集装置に送り出すように設定され、
前記コンテンツ掲載サイト装置又は前記編集装置により、前記広告商品データにおける商品を選択することを条件に、その選択した商品を広告する商用サイト装置に移動するためのリンクアドレス、コンテンツ掲載サイト装置の識別情報が要求されたときには、そのリンクアドレス、コンテンツ掲載サイト装置の識別情報を生成して、それら情報を前記コンテンツ掲載サイト装置又は編集装置に送り出すように設定されている、
ことを特徴とするネットワーク広告管理システムの管理サイト装置とした構成としてある。
【００１０】
上述の技術的課題を解決するために本発明（請求項３）においては、
コンテンツ掲載サイト装置に掲載され又は掲載すべきコンテンツを読み込んで、エディターとして、該読み込んだコンテンツを編集できる機能と、
前記読み込んだコンテンツ内において一部の範囲の表示情報を指定することを条件に、その指定した表示情報に対応する広告商品データをネットワークを介して管理サイト装置に要求する機能と、
前記広告商品データを前記管理サイト装置から受け取ることに基づきその広告商品一覧を表示させる機能と、
前記広告商品一覧における商品を選択することを条件に、その選択した商品を広告する商用サイト装置に移動するためのリンクアドレス、コンテンツ掲載サイト装置の識別情報をネットワークを介して前記管理サイト装置に要求する機能と、
前記リンクアドレス、前記コンテンツ掲載サイト装置の識別情報を前記管理サイト装置からネットワークを介して受け取ることに基づき、該リンクアドレス、該コンテンツ掲載サイト装置の識別情報を前記読み込んだコンテンツ内に組み込み、前記指定した表示情報を移動元として、前記選択した商品を広告する商用サイト装置に移動できるようにする機能と、
をコンピュータに実現させる編集エディターを格納している、
ことを特徴とする記録媒体とした構成としてある。この請求項３の好ましい態様としては、請求項４以下の記載の通りである。
【００１１】
【発明の効果】
請求項１の発明によれば、コンテンツ掲載サイト装置に掲載又は掲載すべきコンテンツを読み込んで、その読み込んだコンテンツ内において一部の範囲の表示情報を指定すれば、以後、平易な画像内容に従って簡単な選択操作を行うだけで、コンテンツ内の一部の範囲の表示情報に商用サイトにリンクするように関連コードが埋め込まれると共に、成功報酬額の管理に関し、管理サイト装置が把握できるシステムを構築できることになる。このため、当該ネットワーク広告管理システムを用いることにより、広告に関し、あたかもコンテンツ内の内容の一部かのように思わせて読者（顧客）の関心を高める手法を簡単に採ることができることになる。
【００１２】
請求項２の発明によれば、当該ネットワーク広告管理システムにおける管理サイトを用いることにより、前記請求項１に係るネットワーク広告管理システムを構築できることになる。
【００１３】
請求項３の発明によれば、当該記録媒体を前記コンテンツ掲載サイト装置又は編集装置に用いることにより、前記請求項１に係るネットワーク広告管理システムを構築できることになる。
【００１４】
請求項４の発明によれば、広告商品一覧と共に、該広告商品一覧における各商品毎の選択を管理サイト装置に伝達するための独立した選択部を表示することから、その選択部には広告商品の選択だけの意義付けしかなされないことになり、コンテンツ掲載者は、戸惑うことなく確実に、広告商品とコンテンツ内の特定内容との間で関連づけを行うことができることになる。
【００１５】
請求項５の発明によれば、詳細情報引き出し部を表示して、その選択により詳細情報を表示させることができることから、広告商品とコンテンツ内の特定内容との間で関連づけを行う前に、その広告商品に関する詳細情報を得ることができることになり、その詳細情報を、広告商品とコンテンツ内の特定内容との間で関連づけを行うか否かの判断の参考資料として有効に利用できることになる。
【００１６】
【発明の実施の形態】
以下、図面を参照して本発明の実施の形態を説明する。
【００１７】
図１は本発明に係る一実施形態としてのネットワーク広告管理システムの全体構成を示す図である。この図１において、符号１は、インターネットを通じた広告管理とその費用管理の運用を代行する代行会社における管理サイト、符号２は、商用サイト３の商品をホームページに掲載するコンテンツ内のキーワード等を通じて紹介するアフィリエイトサイト（コンテンツ掲載サイト装置）、符号３は、商品の販売をインターネット（ＴＣＰ／ＩＰを用いたネットワーク）を通じて行う広告主の商用サイト、符号４は、顧客のパーソナルコンピュータ（ＰＣ）などの通信端末（以下、単に顧客４という）を示すことになっており、管理サイト１、アフィリエイトサイト２、商用サイト３、顧客４はネットワークとしてのインターネット５を通じて接続されている。
【００１８】
先ず、このネットワーク広告管理システムで提供するサービスの概要を説明する。
【００１９】
このネットワーク広告管理システムにおいては、上記代行会社が、１以上の商用サイト３との間で広告管理とその費用管理の運用代行に関する契約を結び、その契約に基づき、それらの商用サイト３の商品をコンテンツを利用して紹介するアフィリエイトサイト２を多数募集することになっており、顧客がこれらのアフィリエイトサイト２のＷＷＷページに掲載されたコンテンツの特定内容（具体的にはキーワード等）を介して商用サイト３にアクセスしてその商用サイト３においてオンラインショッピングを行うと、そのオンラインショッピングにおける顧客の購入情報などの行為情報は、ネットワークを通じてサービス代行会社が運用する管理サイト１（マスターサーバシステム）に送られて蓄積される。
【００２０】
管理サイト１は、アフィリエイトサイト２のＷＷＷページに掲載するコンテンツのテキスト（キーワード等）、グラフィックを介して商用サイトの広告ページ（ＷＷＷページ）にアクセスすることや、それに伴う広告へのコンテンツの使用料の算出・支払い等の管理を行っており、アフィリエイトサイト２へ支払う使用料の計算に関しては、いわゆる成功報酬型、すなわち、顧客４がアフィリエイトサイト２を通じて商用サイト３にアクセスし、その商用サイト３の提供する商品等を実際に購入したら、その売上実績に応じた対価を当該顧客が経由してきたアフィリエイトサイト２に広告掲載料の形で支払うことになっている。
【００２１】
このようなネットワーク広告管理システムを具体的に説明する。
【００２２】
顧客４は、そのパーソナルコンピュータ（ＰＣ）などの通信端末内にブラウザを搭載しており、そのブラウザによりインターネット５を通じてＷＷＷページが閲覧できることになっている。
【００２３】
アフィリエイトサイト２は、ＷＷＷページ〔ハイパーリンク（他のドキュメントへの参照ポインタ）が埋め込まれているもの〕を提示できるＷＷＷサーバを備えており、そのＷＷＷページには、アフィリエイトサイト２独自のコンテンツ（テキスト、グラフィック等による内容）が掲載されている。このコンテンツ内における特定内容、例えば特定キーワードに、管理サイト１を経て商用サイト３にリンク（リダイレクト）するためのＵＲＬが埋め込まれていると共に、そのＵＲＬにおけるQuery String（ＵＲＬ中の?マーク以降の欄）にアフィリエイトサイト（ＡＳ）識別ＩＤ、商品ＩＤ等のＩＤが当該アフィリエイトサイト２によって付けられている。
【００２４】
このような特定キーワードに対するＵＲＬ、ＩＤ等の埋め込みには、編集エディターが用いられている。この編集エディターは、ＣＤ−ＲＯＭ、又はネットワークを通じたダウンロードに基づき、ＷＷＷサーバ（レンタルサーバの場合には、サーバにアップロードできるパソコン）にインストール（ハードディスク又はメモリへの組み込み）されることになっており、この編集エディターを起動することにより、特定キーワードに前記ＵＲＬ、ＩＤ等の埋め込みができることになっている。このため、編集エディターは、具体的には、ＷＷＷサーバ又はアップロード用パソコンにおいて、下記機能を実現できるように設定されている。
【００２５】
１）コンテンツ（ＨＴＭＬ）を読み込んで、ＨＴＭＬエディターとしてコンテンツを編集できる機能。
【００２６】
この機能は、編集を可能とすべく、コンテンツの読み込みにより、アフィリエイトサイト２（ディスプレイ）において読み込み編集画面１１を表示すると共に、その読み込み編集画面１１に編集すべきコンテンツを表示するものである（図２参照）。
【００２７】
２）コンテンツ内において、範囲を指定して例えばキーワードを特定したとき（コンテンツ内容の特定）、コンテンツの読み込み編集画面１１の他に、登録画面１２を表示させると共に、特定キーワードに合致する商品一覧データを、インターネット５を通じて管理サイト１（データベース２３）に要求し、その商品一覧データを受け取ることに基づきその商品一覧を上記登録画面１２に表示する機能（図２参照）。
【００２８】
この場合、編集エディターにおいては、キーワードの特定として、既知の範囲指定操作であるドラッグして選択する操作が用いられ、その読み込み編集画面でのキーワードの特定を条件として編集エディターが管理サイト１にアクセスするように、該編集エディターに関連づけがなされている。この編集エディターと管理サイト１との関連づけは、例えばJava等の既知の機能を利用して行うことができる。
【００２９】
また、編集エディターは、商品一覧データに受け取ることに基づき、登録画面１２において、商品一覧として、キーワードに合致した商品リストを表示すると共に、商品リストの各商品１３毎に、選択ボタン（選択部）１４と詳細ボタン（詳細情報引き出し部）１５とを表示することになっている。選択ボタン１４に関しては、編集エディターが、各選択ボタン１４をクリックすることを条件に、管理サイト１を経て商用サイト３にリンク（リダイレクト）するためのＵＲＬ、アフィリエイトサイト（ＡＳ）識別ＩＤ、商品ＩＤ等を要求するように設定されており、それらを受けることにより、管理サイト１を経て商用サイト３にリンク（リダイレクト）するためのＵＲＬ、アフィリエイトサイト（ＡＳ）識別ＩＤ、商品ＩＤ等は、特定キーワードにＨＴＭＬのコードとして埋め込まれるように設定されている。詳細ボタン１５に関しては、編集エディターが詳細ボタンをクリックすることを条件に、商品リストにおける商品１３毎の成功報酬額（顧客がアフィリエイトサイト２を通じて商用サイト３にアクセスしその顧客自身が商用サイト３の提供する商品等を実際に購入した場合の成功報酬額）等を管理サイト１に要求するように設定されており、それを受けることにより、それを登録画面１２に表示するように設定されている。
【００３０】
商用サイト３は、オンライン上で自社の商品販売を行うＷＷＷページを掲載できる商用サイトＷＷＷサーバ１６を備えている。この商用サイトＷＷＷサーバ１６は、クッキー発行モジュール１７と、クッキー取込みモジュール１８と、トラッキングソフトとしてのマスタークライアントモジュール１９及びロギングモジュール２０等を有する。クッキー発行モジュール１７は、一般的なＷＷＷサーバが通常に搭載しているモジュールであるが、ここでは、商用サイトＷＷＷサーバ１６にも搭載されているものとする。この商用サイトＷＷＷサーバ１６におけるクッキー発行モジュール１７は、顧客４がアフィリエイトサイト２におけるキーワードをクリックして、インターネットを通じて該顧客４と商用サイトＷＷＷサーバ１６との間の通信が成立したとき、顧客４のパソコンのローカルディスクのクッキー格納場所に新たなクッキーフォルダーを作成し、そのクッキーフォルダ内に、顧客識別のためのＩＤと共に、経由アフィリエイトサイト（ＡＳ）ＩＤ、商品ＩＤ等を保存する機能を有している。
【００３１】
クッキー取込みモジュール１８も、一般的なＷＷＷサーバが通常に搭載しているモジュールであるが、この商用サイトＷＷＷサーバにおけるクッキー取込みモジュール１１は、顧客４が商用サイト３における購入ページの商品購入ボタンをクリックしたとき、顧客４のクッキーフォルダにアクセスして、その中の顧客識別のためのＩＤと共に、経由アフィリエイトサイト（ＡＳ）ＩＤ、商品ＩＤ等を取込む機能を有している。
【００３２】
ロギングモジュール２０は、売上情報、クッキー取込み情報等を売上ファイル（テキストファイル）に書き込む（蓄積する）機能等を有しており、マスタークライアントモジュール１９は、上記売上ファイルのデータを定期的にインターネットを通じて管理サイト１に送信する機能を有している。
【００３３】
管理サイト（マスターサーバシステム）１は、このネットワーク広告管理システムの中心的機能を果たすコンピュータシステムであり、この管理サイト１内には、各種サーバシステム２１や各種マネージャシステム２２等が備えられている。この管理サイト１は、商用サイト３におけるトラッキングソフトと連携して各種トラッキング情報を受信しており、これら情報に基づき、各種マネージャシステム２２等は、各種データベース１７の管理（追加、削除、変更、加工等）、アフィリエイトサイト２に支払う成功報酬の算定、報告書作成、指定された口座への成功報酬の振込等のアフィリエイトサイト２に関する管理を行うことになっている。
【００３４】
また、管理サイト１には、図１、図２に示すように、広告主によって依頼を受けている商品を登録した商品データベース２３を備えている。この商品データベース２３には、各商品の商品ＩＤ、各商品毎の詳細情報としての成功報酬額（アフィリエイトサイト２の特定キーワードを経由して実際に商品を購入した場合の成功報酬額）等が保存されており、管理サイト１は、特定キーワードに合致する商品一覧データの要求信号に対して、特定キーワードと、商品データベース２３に予め保存されているキーワードとのマッチング処理を行い、その結果としての商品一覧データを編集エディターの登録画面１２に送ると共に各商品１３毎に選択ボタン１４及び詳細ボタン１５を登録画面１２に送る機能を有している。
【００３５】
上記選択ボタン１４は、その選択ボタン１４をクリックしたときに、管理サイト１を経て商用サイト３にリンク（リダイレクト）するためのＵＲＬ、アフィリエイトサイト（ＡＳ）識別ＩＤ、商品ＩＤ等を生成（ジェネレート）し、その生成されたＩＤ等を、特定のキーワードにおいてＨＴＭＬのコードとして埋め込ませるべく、アフィリエイトサイト２の編集エディターに送るように設定されており、詳細ボタン１５は、その詳細ボタン１５をクリックしたとき、商品リストにおける商品１３毎の成功報酬情報を登録画面１２に送るように設定されている。
【００３６】
なお、図１の例では、アフィリエイトサイト２、商用サイト３、顧客４はそれぞれ１つずつが示されているが、実際にはそれぞれ複数のサイトがこのシステムに存在する。
【００３７】
次に、上記実施形態に係るシステムの動作を具体的に説明する。
【００３８】
顧客４がアフィリエイトサイト２の特定キーワードを経由して商用サイト３にアクセスしその顧客自身が商用サイト３の提供する商品等を実際に購入した場合に支払う成功報酬額の算出に関しては、広告バナーを経由して商用サイト３にアクセスしその顧客自身が商用サイト３の提供する商品等を実際に購入した場合と同様な手法が利用されている。
【００３９】
一例を示せば、顧客４がアフィリエイトサイト（ＡＳ）２にアクセスすると、そのアフィリエイトサイト２のホームページ（ＨＴＭＬコードにより記述されたＷＷＷページ）の画像が顧客４に送り込まれ、そのＷＷＷページ（すなわちホームページ）に独自の内容をなすコンテンツが掲載される。このコンテンツにおいては、前述の編集エディターにより、特定キーワードが指定されて、そのキーワードにリンク先のＵＲＬが埋め込まれており、このキーワードをクリックすることを条件に、その埋め込まれているＵＲＬに基づき、顧客４は、管理サイト１を経由して商用サイト３にアクセス（リダイレクト）することになる。この場合、Query Stringによりアフィリエイトサイト（ＡＳ）識別ＩＤ、商品ＩＤ等のＩＤも、商用サイト３に送られる。尚、本実施形態においては、キーワードのクリック時に管理サイト１を経由するようにしているが、これは、キーワードに対するクリックのカウント等を行うためであり、それらを行わないときには、キーワードのクリックにより直接、商用サイト３にアクセスするようにしてもよい。
【００４０】
顧客４が特定のキーワードをクリックすることにより商用サイト３にアクセスすると、商用サイト３は、クッキー発行モジュール１７により、インターネットを通じて顧客４のローカルディスクのクッキー格納場所に新たなクッキーフォルダーを作成し、そのクッキーフォルダ内に、顧客識別のためのＩＤと共に、アフィリエイトサイト（ＡＳ）識別ＩＤ、商品ＩＤ等のＩＤ等（アフィリエイトサイト２においてＵＲＬに付された内容）を保存する。
【００４１】
そしてこの後、顧客４が、商用サイト３の購入ページにおいて購入ボタンをクリックすると、商用サイト３は、顧客４側のクッキーフォルダにアクセスし、顧客識別のためのＩＤ、アフィリエイトサイト（ＡＳ）識別ＩＤ、商品ＩＤ等のＩＤ等を引き出す。その内容は、ロギングモジュール２０により、売上情報と共に売上ファイルに書き込まれ、商用サイト３のマスタークライアントモジュール１９は、上記売上ファイルのデータを定期的に管理サイト１に送信することになる。管理サイト１は、上記売上ファイルの内容に基づき、顧客４がアフィリエイトサイト２の特定のキーワードを経由して商用サイト３にアクセスしその顧客自身が商用サイト３の提供する商品等を実際に購入した場合に支払う成功報酬額を計算し、それをデータベースに保存することになる。
【００４２】
ところで、コンテンツ内における特定キーワードと商用サイト３と管理サイト１との関連づけは、編集エディターを用いて行われる。この関連づけを図３に示すフローチャートにより具体的に説明すれば、下記の通りとなる。
【００４３】
先ず、アフィリエイトサイト２（ＷＷＷサーバ又はアップロード用パソコン）において、編集エディターを起動し、この編集エディターにより、アフィリエイトサイト２が保有しているコンテンツ（ＨＴＭＬ）の読み込み操作を行う。このコンテンツの読み込み操作により、図２に示すように、アフィリエイトサイト２（ディスプレイ）において読み込み編集画面１１を表示されると共に、その読み込み編集画面１１に読み込んだコンテンツが表示される（Ｓ１、Ｓ２）。
【００４４】
次に、編集エディターは、読み込み編集画面１１におけるコンテンツ内において、ドラッグして選択する操作によりキーワードを特定（コンテンツ内容の特定）したか否かを判別し（Ｓ３）、キーワードを特定したときには、コンテンツの読み込み編集画面１１の他に、登録画面１２が新たに表示される（Ｓ４）。一方、これと同時に、編集エディターは、特定したキーワードに合致する商品一覧データを、インターネット５を通じて管理サイト１（データベース２３）に要求しており（Ｓ５）、管理サイト１は、その商品一覧データの要求信号に基づき、データベース２３内で予め登録されているキーワードとマッチング処理を行い（Ｓ６）、該当するものを商品一覧データとしてアフィリエイトサイト２に送る（Ｓ７）。これにより、その商品一覧データを編集エディターが受け取ることになり、その商品一覧データは上記登録画面に表示される（Ｓ８）。
【００４５】
本実施形態においては、編集エディターは、商品一覧データを受け取ることに伴って、登録画面１２において、商品一覧として、キーワードに合致した商品リストを表示すると共に、商品リストの各商品１３毎に、選択ボタン１４と詳細ボタン１５とを表示することになっており、Ｓ９において、そのいずれかの選択ボタン１４がクリックされたか否かが判別される。選択ボタン１４がクリックされてＳ９がＹＥＳのときには、管理サイト１を経て商用サイト３にリンク（リダイレクト）するためのＵＲＬ、アフィリエイトサイト（ＡＳ）識別ＩＤ、商品ＩＤ等が生成（ジェネレート）され（Ｓ１０）、その生成されたＩＤ等が特定のキーワードにおいてＨＴＭＬのコードとして埋め込まれる（Ｓ１１）。この編集した内容は、保存された後（Ｓ１２）、アフィリエイトサイト２におけるホームページにおいて反映（表示）されることになり、コンテンツ内の特定キーワードを利用して商用サイト３にアクセスすると共に、それに伴って、実際に商品の購入に貢献した場合のアフィリエイトサイト２に対する成功報酬額の算出を可能にすることができることになる。
【００４６】
一方、登録画面１２の商品１３毎に詳細ボタン１５をクリックすることも可能となっており（Ｓ９，Ｓ１３）、詳細ボタン１５をクリックしたときには、その商品１３と特定キーワードとを関連づけをした場合における成功報酬額が表示され、それをもって広告商品の選択の参考にすることができることになる（Ｓ１４）。この後、その表示中に表示される戻りボタンをクリックすることにより、商品一覧ページに戻ることになり（Ｓ１５）、商品一覧ページにおける商品の選択が可能となる。
【００４７】
したがって、編集エディターを用いることにより、コンテンツ内の特定キーワードに対する関連コードの埋め込み作業を容易にして、コンテンツ内における特定キーワードと商用サイト３と管理サイト１との関連づけを簡単化することができることになる。
【００４８】
以上実施形態について説明したが本発明にあっては、次のような態様を包含する。
【００４９】
１）アフィリエイトサイト２のコンテンツとしては、キーワード（テキスト）に限らずグラフィックも含み、そのグラフィックに対して、商用サイト３にリンクするように関連づけを行うようにすること。
【００５０】
２）コンテンツ内の特定キーワードのクリックによる顧客４のアドレスと、購入ボタンのクリック時における顧客４のアドレスとのＩＰアドレスマッチングを用いること。これにより、クッキーのＯＮ，ＯＦＦに関わらず、顧客４がアフィリエイトサイト２の特定キーワードを経由して商用サイト３にアクセスしその顧客４自身が商用サイト３の提供する商品等を実際に購入したか否かを判断できることになり、その精度を高めることができることになる。
【００５１】
３）商品には、サービス等の無形の商品も含むこと。
【図面の簡単な説明】
【図１】本発明の一実施形態としてのネットワーク広告管理システムの全体構成を示す図である。
【図２】編集エディターを用いてコンテンツの特定キーワードに関連コード埋め込む作業を概念的に示した図である。
【図３】実施形態に係る編集エディターの編集作業を示すフローチャートである。
【符号の説明】
１  管理サイト
２  アフィリエイトサイト
３  商用サイト
４  顧客の通信端末
５  インターネット
１１  読み出し編集画面
１３  商品
１４  選択ボタン
１５  詳細ボタン
２３  データベース
【図１】
0003974320.tif 000002
【図２】
0003974320.tif 000003
【図３】
0003974320.tif 000004